(57)【要約】 【課題】Ｘ線撮影の進行に応じて、Ｘ線撮影の準備が完了し次にＸ線撮影の対象となる未撮影の撮影情報、およびＸ線撮影の準備が未だ完了していない未撮影の撮影情報を、容易に確認すること。【解決手段】表示部の情報表示領域に表示された複数の撮影情報に応じてＸ線撮影を行うＸ線撮影装置の撮影制御装置は、情報表示領域に設定された基準位置に応じて、Ｘ線撮影の準備が完了している準備済の撮影情報の表示位置、およびＸ線撮影の準備が完了していない未準備の撮影情報の表示位置を制御する表示制御部を備える。【選択図】  図３
2015084937.tif 000002
【特許請求の範囲】
【請求項１】
表示手段の情報表示領域に表示された複数の撮影情報に応じてＸ線撮影を行うＸ線撮影装置の撮影制御装置であって、
前記情報表示領域に設定された基準位置に応じて、Ｘ線撮影の準備が完了している準備済の撮影情報の表示位置、およびＸ線撮影の準備が完了していない未準備の撮影情報の表示位置を制御する表示制御手段
を備えることを特徴とする撮影制御装置。
【請求項２】
前記表示制御手段は、
前記Ｘ線撮影の実行により撮影済となった撮影情報と、前記準備済の撮影情報と、前記未準備の撮影情報と、を前記情報表示領域に表示する
ことを特徴とする請求項１に記載の撮影制御装置。
【請求項３】
前記表示制御手段は、
前記準備済の撮影情報の位置と情報表示領域の基準位置との比較により、前記情報表示領域における前記準備済の撮影情報および前記未準備の撮影情報の表示を制御する
ことを特徴とする請求項１または２に記載の撮影制御装置。
【請求項４】
前記表示制御手段は、
前記基準位置に前記準備済の撮影情報の表示を合わせるように前記準備済の撮影情報および前記未準備の撮影情報の表示を変更する
ことを特徴する請求項１乃至３のいずれか１項に記載の撮影制御装置。
【請求項５】
前記表示制御手段は、
前記準備済の撮影情報が前記情報表示領域に表示されていない場合、前記準備済の撮影情報および前記未準備の撮影情報を、前記情報表示領域に表示することを特徴とする請求項１乃至４のいずれか１項に記載の撮影制御装置。
【請求項６】
前記情報表示領域の端部の近傍に表示されている前記未準備の撮影情報の表示が前記情報表示領域に収まっている否かを、前記端部の位置と前記未準備の撮影情報の表示位置とを用いて判定する判定手段
を更に備えることを特徴とする請求項１乃至５のいずれか１項に記載の撮影制御装置。
【請求項７】
前記表示制御手段は、
前記表示が情報表示領域に収まらない場合に、前記情報表示領域に収まるように、前記準備済の撮影情報および前記未準備の撮影情報の表示位置を変更することを特徴とする請求項６に記載の撮影制御装置。
【請求項８】
前記判定手段は、
前記表示を変更する場合に、前記基準位置に合わせた準備済の撮影情報の表示が前記情報表示領域の他の端部から外れるか否かを、前記情報表示領域における前記他の端部の位置、前記基準位置、および前記変更による表示の移動量を用いて判定する
ことを特徴とする請求項７に記載の撮影制御装置。
【請求項９】
前記表示制御手段は、
前記未準備の撮影情報の表示の全てが前記情報表示領域に収まっている場合、前記表示の変更を行わないことを特徴とする請求項７に記載の撮影制御装置。
【請求項１０】
前記表示制御手段は、
前記準備済の撮影情報の表示が前記情報表示領域の他の端部から外れる場合に、前記表示の変更を行わないことを特徴とする請求項８に記載の撮影制御装置。
【請求項１１】
前記情報表示領域の表示を操作入力に応じて変更する操作入力手段を更に備え、
前記表示制御手段は、前記操作入力に応じて、前記情報表示領域における前記準備済の撮影情報および前記未準備の撮影情報の表示位置を変更することを特徴とする請求項１乃至７のいずれか１項に記載の撮影制御装置。
【請求項１２】
前記表示制御手段は、
前記Ｘ線撮影により撮影された画像の縮小表示を、前記Ｘ線撮影に対応する撮影情報の表示と組み合わせて、前記情報表示領域に表示することを特徴とする請求項１乃至１１のいずれか１項に記載の撮影制御装置。
【請求項１３】
前記情報表示領域に基準位置を設定する操作入力部を更に備えることを特徴とする請求項１乃至１２のいずれか１項に記載の撮影制御装置。
【請求項１４】
Ｘ線撮影を行うＸ線撮影装置であって、
Ｘ線を発生するＸ線発生手段と、
前記Ｘ線を検出する検出手段と、
Ｘ線撮影を行うための複数の撮影情報を情報表示領域に表示し、前記検出に基づくＸ線画像を画像表示領域に表示する表示手段と、を備え、
前記表示手段は、前記情報表示領域に設定された基準位置に応じて、Ｘ線撮影の準備が完了している準備済の撮影情報、およびＸ線撮影の準備が完了していない未準備の撮影情報を表示することを特徴とするＸ線撮影装置。
【請求項１５】
表示手段の情報表示領域に表示された複数の撮影情報に応じてＸ線撮影を行うＸ線撮影装置の撮影制御方法であって、
前記情報表示領域に設定された基準位置に応じてＸ線撮影の対象となる準備済の撮影情報の表示位置、およびＸ線撮影の準備が完了していない未準備の撮影情報の表示位置を制御する表示制御工程
を有することを特徴とする撮影制御方法。
【請求項１６】
コンピュータを、請求項１乃至１３のいずれか１項に記載の撮影制御装置の各手段として機能させるためのプログラム。
【発明の詳細な説明】
【技術分野】
【０００１】
本発明は、撮影制御装置、Ｘ線撮影装置、撮影制御方法およびプログラムに関するものである。
【背景技術】
【０００２】
近年、放射線（たとえば、Ｘ線）を用いた撮影に基づく診断や検査が盛んに行なわれている。このような検査などは、複数の撮影情報を含む検査オーダに基づいて進行する。ここで撮影情報は、医師により要求された撮影部位や撮影方法、画像処理の情報などを含んでいる撮影条件を示す情報であり、例えば、放射線技師などにより、検査オーダに従って手動で設定される。
【０００３】
ＨＩＳ(Hospital Information System)やＲＩＳ(Radiology Information System)などを用いた病院内のオンライン化が進んでいる。これに伴って外部で予め作成された検査オーダを、ネットワークを介して接続された放射線撮影装置へ転送し検査を進行することも可能になった。この場合、撮影者は放射線撮影装置の表示部に表示された検査オーダの撮影情報を選択すると、撮影情報に応じたパラメータが設定され、設定されたパラメータを用いた撮影を行うことが可能になる。
【０００４】
撮影情報は検査オーダに従って複数登録されるのが一般的である。放射線撮影装置の表示部には、複数の撮影情報を表示可能な表示部の他、撮影した画像や画像処理パラメータなどの表示部も表示される。このため、撮影プロトコルを表示するプロトコル表示部は小さくせざるを得ず、検査オーダの撮影プロトコルを全て表示できない場合が生じ得る。この場合、放射線技師はプロトコル表示部の表示をスクロールして次に撮影を行うプロトコルを確認しながら撮影を行う必要がある。
【０００５】
非特許文献１の放射線撮影装置には、撮影後、次に撮影を実施するための撮影情報として撮影準備が完了した状態（Ready）の撮影情報を、自動で表示部に表示することが示されている。
【先行技術文献】
【非特許文献】
【０００６】
【非特許文献１】デジタルラジオグラフィ総合カタログ ＣＸＤＩキヤノン株式会社（http://www.canon-lcs.co.jp/service/pdf-catalog/pdf/cxdi-all.pdf）
【発明の概要】
【発明が解決しようとする課題】
【０００７】
しかしながら、自動で表示されるのは、撮影準備が完了した状態の撮影情報のみであり、その後、更に撮影する未撮影の撮影情報の表示に関しては表示制御を行っていない。そのため、放射線技師は撮影の度に表示部を毎回確認し、表示部の表示をスクロールして、検査オーダに対応する撮影情報のうち未撮影の撮影情報の有無を確認するための操作を手動で行う必要があった。
【０００８】
上述の従来技術の事情に鑑み、本発明はＸ線撮影の進行に応じて、検査オーダに対応する撮影情報を容易に確認することが可能な技術を提供する。
【課題を解決するための手段】
【０００９】
本発明の一つの実施形態にかかる撮影制御装置は、表示手段の情報表示領域に表示された複数の撮影情報に応じてＸ線撮影を行うＸ線撮影装置の撮影制御装置であって、
前記情報表示領域に設定された基準位置に応じて、Ｘ線撮影の準備が完了している準備済の撮影情報の表示位置、およびＸ線撮影の準備が完了していない未準備の撮影情報の表示位置を制御する表示制御手段を備えることを特徴とする。
【発明の効果】
【００１０】
本発明によれば、Ｘ線撮影の進行に応じて、検査オーダに対応する撮影情報を容易に確認することが可能になる。
【図面の簡単な説明】
【００１１】
【図１】実施形態にかかるＸ線撮影装置の機能構成を例示する図。
【図２】撮影制御部の構成を示すブロック図。
【図３】表示制御部による表示制御を例示する図。
【図４】表示制御部の処理の流れを説明する図。
【図５】表示制御部による表示制御を例示する図。
【図６】表示制御部による撮影情報表示領域の端部の近傍に表示されている撮影情報の表示調整の流れを説明する図。
【図７】表示制御部による表示制御を例示する図。
【図８】表示制御部による表示制御を例示する図。
【図９】表示制御部による表示制御を例示する図。
【図１０】表示部の画面を例示する図。
【発明を実施するための形態】
【００１２】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１３】
（第１実施形態）
図１は実施形態にかかるＸ線撮影装置１０６の機能構成を例示する図である。Ｘ線撮影システムを構成するＸ線撮影装置１０６は、ネットワーク１０７を介して放射線情報システム（ＲＩＳ）１０８と接続可能である。Ｘ線撮影システムは、Ｘ線撮影装置１０６で撮影したＸ線画像を保存・管理するＰＡＣＳ １０９、診断用Ｘ線画像を表示するＶｉｅｗｅｒ １１０やプリンタ １１１を備える。放射線情報システム（ＲＩＳ）１０８、Ｘ線撮影装置１０６、ＰＡＣＳ １０９およびＶｉｅｗｅｒ １１０は、ネットワーク１０７を介して接続されている。
【００１４】
Ｘ線撮影装置１０６は、センサユニット１０１、Ｘ線発生部１０２、照射制御部１０３、撮影制御部１０４および操作・表示部１０５を有する。Ｘ線発生部１０２は、例えば、Ｘ線管球やＸ線管を含み、照射制御部１０３の制御に従ってＸ線を照射する。照射制御部１０３はＸ線発生部１０２のＸ線照射を制御する。センサユニット１０１は、Ｘ線発生部１０２から照射されたＸ線を検出するセンサ１０１を有する。撮影制御部１０４はＸ線撮影装置１０６によるＸ線撮影を制御する。
【００１５】
操作表示部１０５は、Ｘ線撮影装置１０６の操作入力部１０５ａおよびＸ線撮影装置１０６の表示部１０５ｂを有する。表示部１０５ｂは撮影情報や撮影画像を表示する。また、操作入力部１０５ａは撮影情報の選択や、画像処理の操作、撮影の進行指示等を行う。更に、操作入力部１０５ａの入力は、磁気カードやバーコードリーダー等の外部装置からの入力を含む。操作表示部１０５の構成は、撮影制御部１０４に対して独立の構成としてもよいし、撮影制御部１０４内の構成として設けることも可能である。
【００１６】
撮影制御部１０４は、ＲＩＳ１０８から受信した検査オーダ、もしくは、撮影者が操作入力部１０５ａにより入力した検査オーダの撮影情報を表示部１０５ｂに表示するための表示制御を行う。また、撮影制御部１０４は、検査オーダに関する複数の撮影情報の中から選択された撮影情報に応じて、管電流や管電圧、照射時間等の撮影条件を照射制御部１０３へ送信する。照射制御部１０３は、操作入力部１０５ａを介して照射ボタンが押されると撮影条件に応じてＸ線発生部１０２に高電圧をかけ、Ｘ線を発生させる。
【００１７】
Ｘ線検出部として機能するセンサユニット１０１は、センサ１００で検出された被検者の透過Ｘ線量に相当する電荷をＡ／Ｄ変換し、Ａ／Ｄ変換したＸ線デジタル画像を撮影制御部１０４へ送信する。撮影制御部１０４は、受信したＸ線デジタル画像に対し、撮影者が選択した撮影情報に対応付けられている画像処理パラメータに基づいて、様々な補正処理や画像処理を施す。そして、画像処理後のＸ線デジタル画像をＰＡＣＳ １０９へ保存すると共に、Ｖｉｅｗｅｒ１１０やプリンタ１１１に出力し、診断が行われる。
【００１８】
尚、Ｘ線撮影装置１０６の構成をＸ線撮影システムということもある。また、照射制御部１０３は、Ｘ線撮影システムを構成する装置として、Ｘ線発生部１０２を制御する照射制御装置として機能することも可能である。また、撮影制御部１０４は、Ｘ線撮影システムを構成する装置として、Ｘ線撮影を制御する撮影制御装置として機能することも可能である。
【００１９】
図２は、撮影制御部１０４の構成を示すブロック図である。図１では、操作入力部１０５ａ、表示部１０５ｂは撮影制御部１０４の外部に設けられていた構成を例示したが、これらの構成を撮影制御部１０４内に設けてもよい。検査オーダ受信部２０１は、ＲＩＳ１０８もしくは操作入力部から入力された検査オーダを受信する。検査オーダは撮影する患者情報と撮影内容を示す撮影情報から構成される。ここで撮影情報は、医師により要求された撮影部位や撮影方法、画像処理の情報などを含んでいる撮影条件を示す情報である。
【００２０】
画像受信部２０２はＸ線撮影装置１０６で撮影されたＸ線デジタル画像をセンサユニット１０１から受信する。尚、受信する画像は、ネットワーク１０７を介して入力される場合やＣＤ−ＲＯＭやＤＶＤなどの記憶媒体を経由して入力される場合もある。
【００２１】
記憶部２０３は、撮影済の撮影情報（実施済撮影情報）を記憶する。また、画像受信部２０２から入力された画像は検査オーダの撮影情報と関連付けられて記憶部２０３に記憶される。
【００２２】
状態判定部２１１は、センサユニット１０１および照射制御部１０３から撮影の準備状況を示す状態情報を受信し、撮影準備が完了したか否かを判定する。
【００２３】
表示制御部２０４ａはＣＲＴや液晶モニターなどの表示装置（表示部２０４ｂ）に、Ｘ線デジタル画像や撮影情報を表示するための表示制御を行う。
【００２４】
図１０は、表示部２０４ｂ（表示部１０５ｂ）の画面を例示する図である。表示部２０４ｂ（表示部１０５ｂ）に表示される画面は、画像表示領域１００１、状態表示領域１００２、患者情報表示領域１００３、撮影情報表示領域１００４を有する。
【００２５】
画像表示領域１００１には、Ｘ線撮影した画像がプレビュー表示される。表示制御部２０４ａは、設定に応じて患者情報、撮影情報、Ｘ線の照射条件などをアノテーション表示することが可能である。
【００２６】
状態判定部２１１はセンサユニット１０１および照射制御部１０３から、撮影の準備状況を示す状態情報を受信し、状態情報の組み合わせによって、撮影準備が完了したか否かを判定する。表示制御部２０４ａは、この判定結果に応じて状態表示領域１００２の表示を切替える。
【００２７】
例えば、照射制御部１０３からの状態情報がＸ線照射の準備未完了の状態を示し、あるいはセンサユニット１０１からの状態情報がＸ線検出のための準備未完了の状態を示す場合、状態判定部２１１は撮影準備が完了していないと判定する。この判定結果に従い、表示制御部２０４ａは状態表示領域１００２に撮影準備未完了を示す表示として「Not Ready」を表示する。
【００２８】
また、照射制御部１０３からの状態情報がＸ線照射の準備完了を示し、かつ、センサユニット１０１からの状態情報がＸ線検出のための準備完了を示す場合、状態判定部２１１は撮影準備が完了したと判定する。表示制御部２０４ａは状態表示領域１００２に撮影準備完了を示す表示として「Ready」を表示する（図１０）。
【００２９】
患者情報表示領域１００３は、患者ＩＤ、患者名といった患者情報が表示される領域である。撮影情報表示領域１００４（以下、単に表示領域ともいう）には、検査オーダの対応する複数の撮影情報が並べて表示される。撮影情報の表示には、撮影名称、センサの種別等の表示が含まれる。単一のセンサの場合は一つのセンサが表示され、複数のセンサが使用される場合は複数のセンサ（例えば、センサ１、２、３・・）が表示される。また、Ｘ線撮影を実施した撮影済の撮影情報には、撮影した画像を縮小表示した縮小画像（サムネイル画像）が表示される。
【００３０】
撮影情報１０１０は撮影済み情報を示している。撮影情報１０２０は、撮影準備が完了した未撮影の撮影情報を示している（撮影準備済の撮影情報）。この撮影情報１０２０は、図３の撮影情報３０２、図５の撮影情報５０２、図７の撮影情報７０２、図８の撮影情報８０２、図９の撮影情報９０２に対応する。撮影情報１０３０は、撮影準備が完了していない未撮影の撮影情報を示す（撮影未準備の撮影情報）。
【００３１】
撮影準備未完了の状態（Not Ready）から撮影準備完了の状態になった場合（Ready：図１０）、表示制御部２０４ａは、撮影情報表示領域１００４の表示のうち、Ｘ線撮影の準備が完了する。次にＸ線撮影の対象となる撮影情報１０２０の表示位置と、情報表示領域の基準位置１００５とを比較する。この比較結果に応じて、表示制御部２０４ａは、撮影情報１０２０およびＸ線撮影の準備が完了していない撮影情報１０３０の表示を制御する。
【００３２】
例えば、表示制御部２０４ａは、基準位置１００５に撮影情報１０２０（準備済の撮影情報）の表示を合わせるように撮影情報１０２０（準備済の撮影情報）および撮影情報１０３０（未準備の撮影情報）の表示位置を変更する。あるいは、表示制御部２０４ａは準備済の撮影情報が情報表示領域に表示されていない場合、準備済の撮影情報および未準備の撮影情報を、情報表示領域に表示するように表示位置を変更する。このとき、表示制御部２０４ａの表示制御により記憶部２０３に記憶されている撮影実施済の撮影情報も表示部２０４ｂに表示される。表示制御部２０４ａの表示制御の具体的な内容は、図３〜図９を参照して後に説明する。
【００３３】
操作入力部２０５は、例えば、マウスやキーボードなどを含み、表示部２０４ｂに表示された画像や検査オーダに対して、検査の選択や、複製などの指示を行う。再度撮影を行う場合など撮影情報の追加、変更を行う場合、複製部２０６は、操作入力部２０５によって複製が指示されると選択された撮影情報の複製を行う。変更部２０７は複製部２０６によって複製された撮影情報の一部の情報を変更する。変更部２０７により撮影情報の変更が行われた場合、変更前の撮影情報に含まれていた出力結果情報はここでクリアされる。画像処理部２１０は、センサユニット１０１から受信したＸ線デジタル画像に対し、撮影者が選択した撮影情報に対応付けられている画像処理パラメータに基づいて、様々な補正処理や画像処理を施す。出力部２０８は、画像や撮影情報を外部に出力する。撮影制御部１０４内の各部はシステムバス２０９で接続されている。
【００３４】
図３は、図２で説明した表示部２０４ｂにおける撮影情報表示領域１００４の表示を例示する図である。検査オーダに対する撮影情報が複数含まれている場合は、複数の撮影情報が撮影情報表示領域１００４に表示される。
【００３５】
Ｘ線撮影の開始前の状態で、撮影情報表示領域１００４に表示される撮影情報は全て未撮影の撮影情報である。操作入力部２０５を介してスクロールバー３２０を上下に操作することにより、表示制御部２０４ａは撮影情報の表示を撮影情報表示領域１００４内で上下に動かす表示制御を行う。尚、撮影情報の表示制御は、スクロールバー３２０の操作に限定されるものではない。例えば、タッチパネル表示において、放射線技師（撮影者）が、指で画面を押して、一定の方向(例えば、画面の上方向、または下方向)に指を滑らすように動かす撮影者の操作（例えば、スワイプ、フリック操作など）に応じて表示制御部２０４ａが撮影情報の表示制御を行うことも可能である。
【００３６】
センサユニット１０１およびＸ線発生部１０２の撮影準備が完了した撮影情報について、操作入力部２０５を介した撮影者の撮影指示に従い、撮影が順次実行される。撮影が実行された撮影情報は、撮影済の撮影情報として記憶部２０３に記憶される。Ｘ線撮影の進行状況に応じて、撮影済となった撮影情報と、未撮影の撮影情報と、が撮影情報表示領域１００４に表示される。表示制御部２０４ａは、画像表示領域１００１にＸ線撮影により撮影された画像を表示するとともに、撮影された画像の縮小表示３３０（サムネイル画像表示）を、撮影情報の表示と組み合わせて、撮影情報表示領域１００４に表示する。このような表示制御により、撮影済の画像を容易に確認しつつ、準備が完了し次にＸ線撮影の対象となる未撮影の撮影情報を確認することができる。
【００３７】
ここで、未撮影の撮影情報には、撮影準備が完了した状態となり次に撮影を行うことが可能な未撮影の撮影情報（準備済の撮影情報）と、センサユニットの撮影準備が完了していない未撮影の撮影情報（未準備の撮影情報）と、が含まれる。
【００３８】
また、表示制御部２０４ａは、撮影済となった撮影情報と、撮影準備が完了した未撮影の撮影情報と、撮影準備が完了していない未撮影の撮影情報と、をそれぞれ識別できるような表示制御を行う。この表示制御により、夫々の撮影情報の視認性の向上が可能になる。図３の例では、異なるハッチングによりそれぞれの撮影情報を表示している。識別表示としては、表示色の変更や、異なる識別情報を撮影情報と組み合わせて表示することも可能である。
【００３９】
図３において、撮影情報３０１は撮影済み撮影情報を示している。複数の撮影済み撮影情報が存在する場合は、複数の撮影情報が表示される。撮影情報３０２は、撮影準備が完了した未撮影の撮影情報を示している（撮影準備済の撮影情報）。撮影準備が完了しているため、この撮影情報について次に撮影を行うことが可能である。撮影情報３０３は、撮影準備が完了していない未撮影の撮影情報を示す（撮影未準備の撮影情報）。撮影未準備の撮影情報３０３については、撮影情報３０２の撮影以降、撮影準備完了後に、撮影準備済の撮影情報として表示が変更される。表示制御部２０４ａは、センサユニット１０１およびＸ線発生部１０２の撮影準備の状態変化に応じて、撮影情報３０３に対する識別表示を変更するように表示制御を行う。例えば、撮影未準備の撮影情報３０３が、撮影準備済の状態になると、撮影情報３０２のような表示に変更される。尚、撮影準備が完了していない未撮影の撮影情報３０３が複数存在する場合は複数の撮影情報が表示されるが、図３の例では、撮影情報表示領域１００４の表示スペースが足りないため１つの撮影情報しか表示されていない。
【００４０】
以下に説明する実施形態では、撮影情報表示領域１００４における表示のスクロール方向を下から上に移動する例を説明している。本発明の趣旨はこの例に限定されるものではなく、スクロールの方向は上から下に移動するように表示制御することも可能である。
【００４１】
基準位置３０４は、撮影情報表示領域１００４内における、撮影準備済の撮影情報を表示する位置を示す。また、基準位置３０４より上側では、撮影済み撮影情報が表示され、基準位置３０４より下側では、撮影未準備の撮影情報が表示される。つまり、基準位置３０４は、撮影済み撮影情報と撮影未準備の撮影情報の境界となっている。図３の例では、基準位置３０４は撮影情報表示領域１００４の上下方向の中央部を示している。基準位置３０４は、撮影情報表示領域１００４の上下方向の中央部に限定されるものではなく、撮影情報表示領域１００４内の任意の位置を基準として設定することができる。基準位置３０４の設定は、操作入力部２０５を介して表示制御部２０４ａにより行われる。設定に応じて、表示制御部２０４ａは基準位置３０４の表示位置を制御する。放射線技師（撮影者）は、操作入力部２０５を介して撮影情報表示領域１００４内で基準位置３０４を移動して設定することができる。
【００４２】
図３では、基準位置３０４は撮影情報表示部の上下方向の中央部に設定されており、表示制御部２０４ａは撮影準備済の撮影情報３０２を基準位置３０４の位置に移動するように表示制御を行う。撮影準備済の撮影情報３０２が撮影情報表示部の中央部に移動して表示される。また、中央部から最上段までの表示領域に撮影済の撮影情報が表示され、中央部から最下段までの表示領域には撮影未準備の撮影情報３０３が表示される。既に行った撮影済の撮影情報３０１、および、これから撮影を行う予定の撮影未準備の撮影情報３０３の双方を、放射線技師（撮影者）は確認しながら撮影を行うことが可能である。
【００４３】
図４は、図３に示した撮影情報（３０１、３０２、３０３）の表示について、表示制御部２０４ａの処理の流れを説明する図である。
【００４４】
Ｓ４０１で、表示制御部２０４ａは、撮影準備済の撮影情報３０２の表示位置と基準位置３０４の位置との相対的な位置関係を判定する。撮影情報３０２の表示位置が、撮影情報表示領域１００４内において基準位置３０４の位置より下にある場合、処理はステップＳ４０２に進められる。または、撮影情報３０２の表示位置が、撮影情報表示領域１００４の領域外（撮影情報表示領域の下段より下）にある場合（Ｓ４０１−Ｙｅｓ）、処理はステップＳ４０２に進められる。撮影情報３０２の表示位置が、基準位置３０４の位置以上の位置にあり、撮影情報３０２の表示枠（部分表示領域）の上端が撮影情報表示領域の上端より下の位置にある場合、表示制御部２０４ａは、撮影情報３０２の表示位置を維持する（Ｓ４０１−Ｎｏ）。この場合は、放射線技師（撮影者）が未撮影の撮影情報を閲覧するために手動で撮影準備済の撮影情報３０２の表示位置を移動させた場合に該当するため、表示制御部２０４ａは、撮影情報３０２の表示位置を維持する。すなわち、表示制御部２０４ａは、撮影情報３０２の表示位置を変更しない。
【００４５】
Ｓ４０２で、表示制御部２０４ａは、Ｓ４０１における位置関係の判定結果に応じて撮影準備済の撮影情報３０２の表示位置を撮影情報表示領域の中央（基準位置）に移動（第１の移動）させるように表示制御を行う。
【００４６】
Ｓ４０３では、撮影情報３０２の表示位置を表示領域の中央に移動させた際、夫々の撮影情報を表示する部分表示領域のサイズや部分表示領域の数によって、撮影情報表示領域の下端に表示される撮影情報の表示が一部途切れた状態で表示される場合も生じ得る。表示制御部２０４ａは、撮影情報表示領域の下端に表示される撮影情報の表示が全て表示領域内に表示されるように表示制御（下端撮影情報の表示調整）を行う。表示制御部２０４ａによる表示制御（下端撮影情報の表示調整）の流れを図５、および図６を用いて説明する。
【００４７】
図５は、撮影準備済の撮影情報３０２の表示位置を撮影情報表示領域の中央（基準位置）に移動させた後の撮影情報表示領域１００４を示す図である。撮影情報５０１は、図３の撮影情報３０１と同様に図２の記憶部２０３に記憶されている撮影済み情報である。撮影情報５０２は、図３の撮影情報３０２に対応する撮影情報であり、撮影準備済の撮影情報である。図４のＳ４０２の表示制御により、撮影情報表示領域の中央に移動している。
【００４８】
撮影情報５０３は、図３の撮影情報３０３に対応する撮影情報であり、撮影情報５０２よりも後に撮影するセンサユニットの撮影準備が完了していない未撮影の撮影情報（撮影未準備の撮影情報）である。撮影準備済の撮影情報５０２が撮影情報表示領域の中央に移動しているため、撮影未準備の撮影情報５０３も撮影情報５０２の移動に応じて移動し、図３よりも多くの撮影未準備の撮影情報５０３が撮影情報表示領域内に表示されている。撮影情報５０４（最下段撮影情報）は、表示領域内の下端に表示されている撮影情報であり、夫々の撮影情報を表示する部分表示領域のサイズ、表示すべき部分表示領域の数によって、撮影情報の表示が一部途切れた状態で表示される場合も生じ得る。
【００４９】
図６は、表示制御部２０４ａによる表示制御（撮影情報表示領域の端部の近傍に表示されている撮影情報の表示調整）の流れを説明するフローチャートである。表示制御部２０４ａは、一部途切れた状態で表示された撮影情報５０４を、途切れの無い状態で全て表示するように表示制御を行う。
【００５０】
表示制御部２０４ａは撮影済の情報および未撮影の撮影情報に対して表示の重要度（優先度）を設定することが可能である。撮影済の情報に対する重要度に比べて未撮影の撮影情報の重要度（優先度）が高い場合に本処理を実行し、撮影済の情報に対する重要度が未撮影の撮影情報の重要度（優先度）より高い場合には、本処理を実行しないように表示制御を切替えることも可能である。撮影済み情報が確認できることも重要であるが、未撮影の撮影情報の表示がより重要度（優先度）が高い場合は、以下の表示制御を行い下端の未撮影の撮影情報の表示を行う。
【００５１】
Ｓ６０１で、表示制御部２０４ａは撮影情報表示領域の端部（下端）の近傍に表示されている撮影情報を検出する。
【００５２】
Ｓ６０２で、表示制御部２０４ａは、Ｓ６０１で検出した下端の撮影情報５０４が表示される枠（部分表示領域）５１０が、撮影情報表示領域１００４内と領域外とに跨って表示されているか否かの判定を行う。表示制御部２０４ａは、下端の撮影情報が表示される部分表示領域の上端の位置と、撮影情報表示領域の下端の位置とを比較する。更に、表示制御部２０４ａは部分表示領域の下端の位置と撮影情報表示領域の下端の位置とを比較する。この位置は、表示部２０４ｂの表示画面を構成するための座標系を基準とするもので、図５のｙ方向に沿って、表示位置が変更される場合、表示制御部２０４ａはｙ方向の座標（位置情報）を比較処理に用いる。
【００５３】
比較の結果、部分表示領域の上端の位置＞撮影情報表示領域の下端の位置＞部分表示領域の下端の位置、となる場合に、表示制御部２０４ａは、下端の撮影情報が表示される部分表示領域は途切れた状態で表示されていると判定し（Ｓ６０２−Ｙｅｓ）、処理をＳ６０３に進める。
【００５４】
一方、Ｓ６０２の判定で、部分表示領域の上端の位置＞部分表示領域の下端の位置＞撮影情報表示領域の下端の位置、となる場合に、表示制御部２０４ａは、下端の撮影情報が表示される部分表示領域は途切れておらず（Ｓ６０２−Ｎｏ）、表示領域内に部分表示領域の全てが表示されていると判定し、本処理を終了する。
【００５５】
また、撮影情報表示領域の下端の位置＞部分表示領域の上端の位置＞部分表示領域の下端の位置、となる場合に、表示制御部２０４ａは、下端の撮影情報が表示される部分表示領域の全ては、撮影情報表示領域の領域外であると判定し、途切れた状態で表示されていないと判定し（Ｓ６０２−Ｎｏ）、本処理を終了する。
【００５６】
Ｓ６０３で、表示制御部２０４ａは、下端の撮影情報が表示される部分表示領域の全てが撮影情報表示領域内に表示されるように移動した場合に（移動量をｄ１とする）、撮影準備済の撮影情報５０２の表示が撮影情報表示領域から外れるか否かを判定する。表示制御部２０４ａは、撮影準備済の撮影情報５０２が表示される枠（部分表示領域）５２０の上端の位置から撮影情報表示領域の上端の位置までの移動余裕を示す距離ｄ２を取得する。表示制御部２０４ａは、取得した距離ｄ２と下端の撮影情報の移動量ｄ１とを比較して、ｄ２≧ｄ１、となる場合、下端の撮影情報を移動させても、撮影準備済の撮影情報５０２の表示が撮影情報表示領域１００４から外れないと判定し（Ｓ６０３−Ｙｅｓ）、処理をステップＳ６０４に進める。
【００５７】
一方、Ｓ６０３の判定で、ｄ１＞ｄ２となる場合、下端の撮影情報を移動すると、撮影準備済の撮影情報５０２の表示が撮影情報表示領域１００４から外れると判定し（Ｓ６０３−Ｎｏ）、表示制御部２０４ａは下端の撮影情報を移動させず、本処理を終了する。
【００５８】
Ｓ６０４で、表示制御部２０４ａは、下端の撮影情報が表示される部分表示領域５１０の全てが撮影情報表示領域１００４内に表示されるように下端の撮影情報の表示を移動する（第２の移動）。この移動に応じて、他の撮影情報の表示も移動する。表示制御部２０４ａによる表示制御により、撮影準備済の撮影情報５０２の表示が撮影情報表示領域内に表示されるとともに、撮影情報５０２に続く未撮影の撮影情報の表示が途切れることなく、撮影情報表示領域内に表示することが可能になる。これにより、撮影者の手間を省くとともに、視認性に優れた表示が可能になる
（第２実施形態）
次に、検査オーダに従って具体的に撮影する場合の実施形態について説明する。本実施形態にかかるＸ線撮影装置の構成、撮影制御部の構成は図１および図２に示す構成と同様である。図７は、検査オーダに従って撮影開始後、Ｘ線撮影を２回行った場合の撮影情報表示領域１００４の表示を例示する図である。１番目と２番目の撮影情報は撮影済の情報７０１である。３番目の撮影情報７０２は、撮影準備が完了した未撮影の撮影情報を示している。撮影情報７０２の表示位置は、撮影情報表示領域の中央より上に存在するため、表示制御部２０４ａは、撮影情報７０２の表示位置の移動を行わず、現在の表示位置を維持する。表示制御部２０４ａは、撮影情報７０２の表示位置を変更しない。
【００５９】
図８は、検査開始後、更に複数回のＸ線撮影を行った場合の撮影情報表示領域１００４を例示する図である。撮影情報８０１は撮影済の情報である。撮影情報８０２は撮影準備が完了した未撮影の撮影情報を示している。この撮影情報８０２が次に撮影を行う予定の撮影情報である。撮影情報８０２の表示位置は、撮影情報表示領域内の基準位置３０４より下に存在するため、図４のＳ４０２の表示制御に従って、撮影情報表示領域１００４の中央に移動している。この移動に伴い、撮影情報８０２に続く未撮影の撮影情報８０３も移動する。
【００６０】
このようにＸ線撮影が進行していき、センサユニット１０１およびＸ線発生部１０２の撮影準備が完了すると、次に撮影を行う予定の撮影情報が切り替わる。次に撮影を行う予定の撮影情報（撮影準備済の撮影情報）の表示位置が撮影情報表示領域の基準位置より下の位置にある場合、表示制御部２０４ａは、撮影準備済の撮影情報の表示位置を自動的に変更するように表示制御を行う。これにより、放射線技師が特別な操作をせずとも、既に行った撮影済の撮影情報８０１、および、これから撮影を行う予定の撮影未準備の撮影情報８０３の双方を、放射線技師は確認しながら撮影を行うことが可能になる。
【００６１】
検査途中で撮影に失敗した場合、再度撮影を行った撮影情報は撮影済の撮影情報として追加される。また、検査オーダの編集などで新規に撮影情報が追加されると、追加された撮影情報は未撮影の撮影情報として追加される。追加された撮影情報に対する表示制御も第１実施形態で説明したものと同様であり、撮影準備が完了すると、次に撮影を行う予定の撮影情報が切り替わる。次に撮影を行う予定の撮影情報（撮影準備済の撮影情報）の表示位置が撮影情報表示領域の基準位置より下の位置にある場合、表示制御部２０４ａは、撮影準備済の撮影情報の表示位置を自動的に変更するように表示制御を行う。射線技師が特別な操作をせずとも、撮影済の撮影情報、および、これから撮影を行う予定の撮影未準備の撮影情報の双方を、放射線技師は確認しながら撮影を行うことが可能になる。
【００６２】
図９は、検査終了間際の撮影情報表示領域１００４を例示する図である。撮影情報９０１は、撮影済の情報７０１である。撮影情報９０２は撮影準備が完了した未撮影の撮影情報を示しており、この撮影情報９０２が次に撮影を行う予定の撮影情報である。次に撮影を行う予定の撮影情報９０２の表示位置は、撮影情報表示領域内の基準位置３０４（この場合は中央）より下に存在するが、この場合は、未撮影の撮影情報は全て表示領域内に表示された状態である。このため、表示制御部２０４ａは、次に撮影を行う予定の撮影情報９０２および未撮影の撮影情報９０３の移動を行わず、現在の表示を維持する。
【００６３】
（第３実施形態）
表示制御部２０４ａは、撮影情報表示領域に表示する撮影情報を、撮影対象となる撮影部位ごとにまとめて表示するようにすることが可能である。例えば、肺野領域や腹部など、同一部位の撮影情報はまとめて表示するなど、撮影部位ごとの撮影情報を表示領域内に表示するように、第１および第２実施形態で説明した表示制御を適用することが可能である。
【００６４】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015084937.tif 000003
【図２】
2015084937.tif 000004
【図３】
2015084937.tif 000005
【図４】
2015084937.tif 000006
【図５】
2015084937.tif 000007
【図６】
2015084937.tif 000008
【図７】
2015084937.tif 000009
【図８】
2015084937.tif 000010
【図９】
2015084937.tif 000011
【図１０】
2015084937.tif 000012